(57)【要約】【課題】  磁気ディスク装置や部品の交換や保守点検作業を容易に行うことができ、搭載可能な磁気ディスク装置の数を増大させた磁気ディスク搭載装置を提供する。【解決手段】  ディスクエンクロージャ（１２）に収容された磁気ディスク装置(１３−Ｉ,１３−２、…）と、ディスクエンクロージャ内の磁気ディスク装置の配置位置以外の場所に設けられたケーブル収容部（１４）とを備え、ディスクエンクロージャを磁気ディスク搭載装置（１１）の前面から磁気ディスク搭載装置内に挿入可能且つ磁気ディスク搭載装置から引き出し可能なように構成されており、ケーブル収容部に収容されるケーブルは磁気ディスク装置に接続されるケーブルであって、ディスクエンクロージャの挿入及び引き出し動作に応じて屈曲及び伸張が可能なケーブルガイドに収容されている。【選択図】      図１
2006228340.tif 000002
【特許請求の範囲】
【請求項１】
磁気ディスク装置を搭載する磁気ディスク搭載装置であって、
少なくとも１個のディスクエンクロージャと、
前記ディスクエンクロージャに収容された少なくとも１個の磁気ディスク装置と、
前記ディスクエンクロージャ内の前記磁気ディスク装置の配置位置以外の場所に設けられたケーブル収容部とを備え、
前記磁気ディスク搭載装置は、前記ディスクエンクロージャを前記磁気ディスク搭載装置の前面から前記磁気ディスク搭載装置内に挿入可能且つ前記磁気ディスク搭載装置から引き出し可能なように構成されており、
前記ケーブル収容部に収容されるケーブルは前記磁気ディスク装置に接続されるケーブルであって、前記ディスクエンクロージャの挿入及び引き出し動作に応じて屈曲及び伸張が可能なケーブルガイドに収容されていることを特徴とする磁気ディスク搭載装置。
【請求項２】
前記磁気ディスク装置は、その前面が前記ディスクエンクロージャの前面に直交する方向を向くように前記ディスクエンクロージャに収容されている請求項１に記載の磁気ディスク搭載装置。
【請求項３】
前記ケーブルガイドは、ケーブルの種類毎に収容場所を異ならせるための仕切り板を備えている請求項１に記載の磁気ディスク搭載装置。
【請求項４】
前記ケーブルガイドは、前記仕切り板上に設けられた緩衝用クッションを備えている請求項３に記載の磁気ディスク搭載装置。
【請求項５】
磁気ディスク装置を搭載する磁気ディスク搭載装置であって、
少なくとも１個のディスクエンクロージャと、
前記ディスクエンクロージャに収容された少なくとも１個の部品と、
前記ディスクエンクロージャ内の前記部品の配置位置以外の場所に設けられたケーブル収容部とを備え、
前記ケーブル収容部に収容されるケーブルは前記磁気ディスク装置に接続されるケーブルであって、前記ケーブルの一端は前記ディスクエンクロージャ内の一点に回動可能に固定されており、前記ケーブルの他端はディスクエンクロージャ内の前記部品の配置位置以外の任意の場所で取り外し可能且つ回動可能に取り付けられており、
前記部品の保守のために前記部品を前記ディスクエンクロージャから取り外す際に前記ケーブルが取り外し作業の邪魔になる場合は、前記ケーブルを前記ディスクエンクロージャの外側に回転させるか、前記ケーブルの前記他端の取り付け定位置を変更することにより前記部品の取り外しを可能にすることを特徴とする磁気ディスク搭載装置。
【発明の詳細な説明】
【技術分野】
【０００１】
本発明は、磁気ディスク搭載装置に関し、特に磁気ディスク装置や部品の保守を容易にしたケーブル収納機構を有する磁気ディスク搭載装置に関する。
【背景技術】
【０００２】
多数の磁気ディスク装置を搭載する磁気ディスク搭載装置が知られている。
図５は従来の磁気ディスク搭載装置の外観を示す斜視図である。同図において、５１は磁気ディスク搭載装置、５２はディスクエンクロージャ、５３は磁気ディスク装置である。図示のように、従来は磁気ディスク搭載装置の前面と磁気ディスク装置５３の前面とが一致するようにして磁気ディスク装置５３がディスクエンクロージャ５２に収容されていた。ディスクエンクロージャ５２は多段構成でも単一段構成でもよい。
【０００３】
図５では磁気ディスク搭載装置５１の前面にのみ磁気ディスク装置５３が設けられているが、磁気ディスク搭載装置５１の後面にも磁気ディスク装置を設けるものも存在する。
【０００４】
一般に磁気ディスク装置は振動に弱いとされており、従来は保守点検時や交換時においても磁気ディスク装置５３を磁気ディスク搭載装置５１内で移動させるという発想は少なかった。
【特許文献１】特開平４−３３３００３号公報
【発明の開示】
【発明が解決しようとする課題】
【０００５】
従来は、磁気ディスク搭載装置の前面又は後面と磁気ディスク装置の前面とが一致するようにして磁気ディスク装置を磁気ディスク搭載装置に搭載していたので、磁気ディスク搭載装置の内部の空き領域を有効に活用することが出来ず、磁気ディスク搭載装置に搭載可能な磁気ディスク装置の数は、磁気ディスク装置の前面の面積の総和が磁気ディスク搭載装置の前面及び後面の面積を超えない値に制限されており、搭載可能な磁気ディスク装置の数が少ないという課題があった。
【０００６】
この課題を解決するために、磁気ディスク装置を搭載したディスクエンクロージャを磁気ディスク搭載装置から引き出し可能な構成にしようとすると、磁気ディスク装置に接続された各種ケーブルが整線されていない状態でディスクエンクロージャの移動に伴なって移動することになる。この結果、ケーブルの破損や磁気ディスク装置の保守点検作業が困難になるという課題がある。
【０００７】
本発明の目的は、磁気ディスク搭載装置に搭載可能な磁気ディスク装置の数を増大させた磁気ディスク搭載装置を提供することにある。
【０００８】
本発明の他の目的は、磁気ディスク装置の保守点検作業を容易に行うことができる磁気ディスク搭載装置を提供することにある。
【課題を解決するための手段】
【０００９】
上記課題を解決するために、本発明の第１の態様により提供されるものは、ディスクエンクロージャに収容された磁気ディスク装置と、ディスクエンクロージャ内の磁気ディスク装置の配置位置以外の場所に設けられたケーブル収容部とを備え、磁気ディスク搭載装置は、ディスクエンクロージャを磁気ディスク搭載装置の前面から磁気ディスク搭載装置内に挿入可能且つ磁気ディスク搭載装置から引き出し可能なように構成されており、ケーブル収容部に収容されるケーブルは磁気ディスク装置に接続されるケーブルであって、ディスクエンクロージャの挿入及び引き出し動作に応じて屈曲及び伸張が可能なケーブルガイドに収容されていることを特徴とする磁気ディスク搭載装置である。
【００１０】
本発明の第２の態様によれば、磁気ディスク装置は、その前面がディスクエンクロージャの前面に直交する方向を向くようにディスクエンクロージャに収容されている。
【００１１】
本発明の第３の態様によれば、ケーブルガイドは、ケーブルの種類毎に収容場所を異ならせるための仕切り板を備えている。
【００１２】
本発明の第４の態様によれば、ケーブルガイドは、仕切り板上に設けられた緩衝用クッションを備えている。
【００１３】
本発明の第５の態様によれば、ディスクエンクロージャ内の部品の配置位置以外の場所に設けられたケーブル収容部を備え、ケーブル収容部に収容されるケーブルは磁気ディスク装置に接続されるケーブルであって、ケーブルの一端はディスクエンクロージャ内の一点に回動可能に固定されており、ケーブルの他端はディスクエンクロージャ内の部品の配置位置以外の任意の場所で取り外し可能且つ回動可能に取り付けられており、部品の保守のために部品をディスクエンクロージャから取り外す際にケーブルが取り外し作業の邪魔になる場合は、ケーブルをディスクエンクロージャの外側に回転させるか、ケーブルの他端の取り付け定位置を変更することにより部品の取り外しを可能にすることを特徴とする磁気ディスク搭載装置である。
【発明の効果】
【００１４】
本発明の第１〜第４の態様によれば、ディスクエンクロージャを磁気ディスク搭載装置の前面から磁気ディスク搭載装置内に挿入可能且つ磁気ディスク搭載装置から引き出し可能なように構成したので、磁気ディスク装置の保守点検作業時に、単にディスクエンクロージャを磁気ディスク搭載装置から引き出すだけで済み、ケーブルはケーブル収納部内で整線された状態で動作するので、保守点検作業における煩雑さが著しく緩和されるという効果が得られる。
【００１５】
また、磁気ディスク装置は、その前面がディスクエンクロージャの前面に直交する方向を向くようにディスクエンクロージャに収容したことにより、従来と比較してより多くの磁気ディスク装置をディスクエンクロージャに搭載可能になるという効果も得られる。
【００１６】
さらに、本発明の第５の態様によれば、部品の交換や保守点検時に、ケーブルが邪魔になる場合でも容易にケーブル位置をずらすことができるので、部品の保守点検や交換が容易になるという効果が得られる。
【発明を実施するための最良の形態】
【００１７】
以下に、本発明の実施例を図面を参照して説明する。全図を通して同一参照番号は同一のものを表す。
図１は本発明の第１の実施例による磁気ディスク搭載装置の外観を示す側面図である。同図において、１１は磁気ディスク搭載装置、１２はディスクエンクロージャ、１３−１、１３−２、１３−３、…は磁気ディスク装置、１４はケーブル収容部、１５はディスクエンクロージャを磁気ディスク搭載装置から引き出すための引き出し用取っ手、１６は可撓性のケーブルガイドであって例えば断面が横長の矩形をしており、チェーンで結合された市販のチェーンガイド等を利用する。
【００１８】
ケーブルガイド１６内には磁気ディスク装置１３−１、１３−２、…に接続されている信号線、ＡＣ及びＤＣ電源ケーブル、光フィアバ等が収容される。図１においては磁気ディスク１３−１に接続されているケーブルを収容するケーブルガイドのみが図示されているが、磁気ディスク装置１３−２、１３−３、…のケーブルガイドもケーブル収容部に収容される。１７はケーブルガイド１６を磁気ディスク搭載装置１１に固定する固定点、１８は磁気ディスク搭載装置の前面、１９は磁気ディスク装置のバックパネルに結合しているプリント板、２０はプリント板１９に設けられた端子に接続されたケーブル群、２１はケーブル群２０の走行スペースである。
【００１９】
磁気ディスク装置１３−１、１３−２、１３−３、…は磁気ディスク搭載装置１１の側面から紙面後方にある図示しないバックパネルに挿入されている。図示の状態では磁気ディスク装置１３−１、１３−２、１３−３、…の前面が磁気ディスク搭載装置１１の側面側にある。バックパネルはプリント板１９と結合しており、全磁気ディスク装置１３−１、１３−２、１３−３、…に接続されるべきケーブル群２０がこのプリント板１９に設けられた端子又はコネクタに接続されている。
【００２０】
図２は図１の磁気ディスク搭載装置１１をＡ方向から見た後面図である。同図において、ディスクエンクロージャ１２が４個並んでいる。ディスクエンクロージャの数は４個に限定されるものではなく、これより多くても少なくてもよい。ケーブル収容部１４にケーブルガイド１６が収容されていることが分る。各ケーブルガイド１６内に上記したように磁気ディスク装置１２に接続されたケーブル群２０が収容される。
【００２１】
このように、磁気ディスク装置１３−１，１３−２、１３−３…を磁気ディスク搭載装置１１の側面から挿入する構成としたことにより、図５に示した従来の磁気ディスク搭載装置と比較してより多数の磁気ディスク装置を磁気ディスク搭載装置に搭載可能になる。例えば図５の従来の装置において、１段目のディスクエンクロージャ５２の前面に１５個の磁気ディスク装置５３を搭載可能であると仮定し、図１及び図２に示した磁気ディスク搭載装置１１のサイズは図５の磁気ディスク搭載装置５１と同じであると仮定し、図１の磁気ディスク搭載装置１１の側面からディスクエンクロージャを６０個搭載可能であるとすると、１５個の４倍の磁気ディスク装置が搭載できることになる。図２の例では磁気ディスク搭載装置１１の後側から４個のディスクエンクロージャ１２を磁気ディスク搭載装置１１に搭載できるので、６０個の４倍の２４０個の磁気ディスク装置を搭載可能になる。つまり、従来は磁気ディスク搭載装置５１の前面及び後面にのみ磁気ディスク装置を固定して配置していたので、磁気ディスク搭載装置５１には何にも使用されない無駄な空き領域が多かったのに対して、本発明の図１および図２に示した実施例では、磁気ディスク装置１３−１，１３−２，１３−３…を磁気ディスク搭載装置１１の側面から挿入するようにしたので、無駄な空き領域を極力少なくすることが可能になる。
【００２２】
図１に戻り、磁気ディスク装置１３−１、１３−２、…の保守点検時には、引き出し用取っ手１５を図示左側方向に引っ張ることにより、ディスクエンクロージャ１２は磁気ディスク搭載装置１１内をスライド移動して図示点線のように引き出される。この引出し動作に伴ってケーブルガイド１６は固定点１７を支点として図示点線の位置に移動する。これにより、ケーブルはケーブルガイド１６により保護された状態でディスクエンクロージャ１２の引き出し動作に伴って移動するので、移動に伴う負荷を少なくすることが可能になる。また、磁気ディスク装置１３−１、１３−２、…を磁気ディスク搭載装置１１から取り外すことなく容易に保守点検が可能である。また、ケーブルを取り外して保守点検又は交換をする作業も簡単化される。
【００２３】
図３は本発明の他の実施例によるケーブルガイド１６ａの構成を示す断面図である。同図において、１４ａはケーブル収納部、１６ａはチェーンガイド、３１はＡＣケーブル、３２は信号ケーブル、３３は光ケーブル、３４、３５、３６及び３７はケーブルの種類に応じてケーブルを分離する仕切り板、３８及び３９は光ケーブルを圧迫から保護する緩衝用クッションである。仕切り板の材料としては、ケーブルを保護する強度があればプラスチックであっても金属であってもよい。また、仕切り板の数及び緩衝用クッションの配置位置はケーブルの種類の数及びケーブルの性質に応じて任意に定められる。
【００２４】
図３のように仕切り板及び緩衝用クッションを設けたことにより、ケーブルの種類に応じて整理された状態でケーブルをケーブル収納部１４ａに収容することができ、保守点検作業上便利である。また、緩衝用クッション３８及び３８を設けたことにより、光ケーブルに対して圧力が加わっても光ケーブルが簡単に損傷を受けないという効果が得られる。
【００２５】
図４は本発明の更に他の実施例による磁気ディスク搭載装置の後面図である。
磁気ディスク搭載装置の後面には磁気ディスク装置以外に様々な部品４１−１、４１−２、４２−３…が搭載されている。各種ケーブルはこれらの部品が存在しない領域に配置されている。本発明のこの実施例によれば、これらのケーブルを部品４１−１、４１−２、４１−３…の下側に配置し、且つ、ケーブルガイド１６ａに収容する。ケーブルガイド１６ａとしては図１に示したものと同じ可撓性のケーブルガイド、例えばチェーンガイドを使用する。４２はケーブルガイド１６ａの一端の固定部、４３−１、４３−２、４３−３…はケーブルガイド１６ａの他端の仮固定部である。
【００２６】
部品の保守点検や交換をしないときは、ケーブルガイド１６ａは磁気ディスク操作装置５１ａの内部に収容されている。
【００２７】
ケーブルガイド１６ａが磁気ディスク操作装置５１ａの内部に収容されており、ケーブルガイド４１ａの他端が仮固定点４３−１に固定されている状態で、例えば部品４１−３、４１−４、４１−５の保守点検や交換のためにそれらの部品を磁気ディスク搭載装置５１ａから取り外す場合は、ケーブルガイド１６ａの存在が作業の邪魔になるので、固定点４２と仮固定点４３−１にケーブルガイド１６ａを固定さ勢田状態で、図示矢印方向に９０°回転して部品４１−３、４１−４、４１−５を磁気ディスク搭載装置５１ａの下側に矢印で示したようにして移動させて取り外しが可能になる。
【００２８】
また、部品４２−２の保守点検をしたい場合にはケーブルガイド１６ａの他端の仮固定点を４３−１から４３−２に変更することにより、部品４１−２を磁気ディスク搭載装置５１ａの下側に矢印で示したようにして移動させて取り外しが可能になる。
【００２９】
このように可撓性のケーブルガイドを用い、ケーブルガイドの他端の仮固定点を変更することにより、ディスクエンクロージャ５２ａ内の部品の交換や保守点検が容易になる。
【産業上の利用可能性】
【００３０】
本発明の１態様により、ディスクエンクロージャをスライド式に移動可能にしたことにより磁気ディスク搭載装置に搭載される磁気ディスク装置を容易に取り外し可能になり、且つ、磁気ディスク搭載装置に搭載可能な磁気ディスク装置の数を飛躍的に増大させることが可能になる。
さらに、本発明の他の態様により、可撓性のケーブルガイドに各種ケーブルを収容すると共に、ケーブルガイドの固定点及び仮固定点にケーブルガイドを固定させた状態でケーブルガイド１６ａを部品が存在する方向と反対側に９０°回転させることにより、部品の保守点検及び交換作業を容易に行うことが可能になる。
【図面の簡単な説明】
【００３１】
【図１】本発明の第１の実施例による磁気ディスク搭載装置の外観を示す側面図である。
【図２】図１の磁気ディスク搭載装置１１をＡ方向から見た後面図である。
【図３】本発明の他の実施例によるケーブルガイド１６ａの構成を示す断面図である。
【図４】本発明の更に他の実施例による磁気ディスク搭載装置の後面図である。
【図５】従来の磁気ディスク搭載装置の外観を示す斜視図である。
【符号の説明】
【００３２】
１１    磁気ディスク搭載装置
１２    ディスクエンクロージャ
１３−１、１３−２、１３−３…    磁気ディスク装置
１４    ケーブル収容部
１６、１６ａ    ケーブルガイド
１７    固定点
３１    ＡＣケーブル
３２    信号ケーブル
３３    光ケーブル
３４〜３６    仕切り板
３８，３９    緩衝用クッション
４１−１、４１−２、４１−３…    部品
４２    固定点
４３−１、４３−２、４３−３…    仮固定点
５１ａ    ディスクエンクロージャ
５２ａ    磁気ディスク搭載装置
【図１】
2006228340.tif 000003
【図２】
2006228340.tif 000004
【図３】
2006228340.tif 000005
【図４】
2006228340.tif 000006
【図５】
2006228340.tif 000007